(57)【要約】【課題】ボンドやグルーガン、すなわち、接着剤や接着剤を溶かすための熱を用いずに、素人が行っても安全、容易、確実かつ時間を短縮してエクステンションの取り付けができるエクステンションの取り付け方法を提供する。【解決手段】リング、ニッパー、及びカギ針を備えたバーを併せて用いることにより行う。すなわち、これらの構成を用いて行うエクステンションの取り付けは、カギ針を備えたバー１０をリング２０に差し込み、カギ針の中に髪の毛１を引っかけ、差し込んだバー１０をリング２０から抜き取る。そして、再度バー１０をリング２０に差し込んでカギ針の中にエクステンション３０を引っ掛け、差し込んだバー１０をリング２０から抜き取り、最後にリング２０をニッパー４０で潰してエクステンション３０を髪の毛１に固定する。【選択図】  図２
2004156157.tif 000002
【特許請求の範囲】
【請求項１】
エクステンションと、前記エクステンションを引っ掛けるバーと、前記エクステンションを固定するリングと、前記リングを潰すニッパーとを用いてエクステンションを取り付ける方法であって、カギ針を備えたバーをリングに差し込む第１の工程と、カギ針の中に髪の毛を引っかける第２の工程と、差し込んだバーをリングから抜き取る第３の工程と、再度バーをリングに差し込んでカギ針の中にエクステンションを引っ掛ける第４の工程と、差し込んだバーをリングから抜き取る第５の工程と、リングをニッパーで潰してエクステンションを髪の毛に固定する第６の工程とを備えたことを特徴とするエクステンションの取付方法。
【発明の詳細な説明】
【０００１】
【発明の属する技術分野】
本発明は、エクステンションの取付方法に関するものである。
【０００２】
【従来の技術】
エクステンションは、アメリカから上陸したヘアアレンジスタイルで、髪を長く見せる「つけ毛」のことである。エクステンションは人の髪の毛でできている人毛や合成繊維で作られたファイバーが使用されている。もともとのルーツは、アフリカや中南米のお洒落な女の子達が発端ということもあり、日本でもドレッドやブレイズなどの「ブラックビューティスタイル」がまず定着した。そして、最近では、ドレッド、ブレイズはもちろん、ヒッピー、ギャル、おネエ系ｅｔｃ．．．様々なスタイルにあわせてアレンジも自由自在となり、自分の髪の毛を染めることなく、気軽にかつ簡単にワンポイントが加えられるものとして利用されている。
【０００３】
エクステンションの取り付けには専用の接着アイテムが必要であり、一般的には、グルーと呼ばれるボンドと、グルーを熱で溶かしてエクステンションを接着するグルーガンと、糸やシリコンパッドとを用いて取り付けられる。
【０００４】
これらの道具を用いたエクステンションの取り付けを、以下説明する。まず、エクステンションを付けようとする箇所の地毛を上下に分ける。そして、分けた下の髪の毛にエクステンションを置いて、ボンドを適量つけ、グルーガンによりボンドを熱で溶かして軽く接着する。次に、上の髪の毛を下におろし、先ほど接着した要領と同じように上の髪の毛にエクステンションを置いて、ボンドを適量つけ、グルーガンによりボンドを熱で溶かして軽く接着する。そして、上下の髪の毛の間にエクステンションを挟むようにしてボンドを接着した後、糸やシリコンパッドで縛って補強してエクステンションの取り付けが終了する。
【０００５】
【発明が解決しようとする課題】
しかしながら、このようなエクステンションの取り付けは、１つのエクステンションを付けるのに、上下に髪の毛をその都度分け、ボンドの接着を最低２回も行い、さらに糸やシリコンパッドを用いて補強するので、素人には非常に困難な作業であり、また、複数のエクステンションを取り付ける場合には、熟練した人が行っても時間がかかるものである。
【０００６】
さらに、ボンドの量を間違えたときには、見た目が悪いものとなってしまう。つまり、適量を越えてつけてしまったときには、エクステンションと髪の毛との間に大きなダマができてしまい、また、適量よりも少なくつけたときには、接着がうまくいかず、エクステンションが髪の毛からずれ落ちてしまうおそれもある。
【０００７】
また、ボンドの接着は、グルーガンの熱を用いてボンドを溶かすことにより行うので、グルーガンや溶けたボンドが地肌に間違って触れてしまったりすると、やけどの恐れもある。
【０００８】
さらに、このようにボンドで取り付けられたエクステンションを取り外すのは、取り付け時よりも困難なものである。
【０００９】
本発明は、上記問題点に鑑み、ボンドやグルーガン、すなわち、接着剤や接着剤を溶かすための機材を用いずに、素人が行っても安全、容易、確実かつ時間を短縮してエクステンションの取り付けができ、さらに、エクステンションの取り外しも容易に行えるエクステンションの取り付け方法を提供することを目的とする。
【００１０】
【課題を解決するための手段】
本発明のエクステンションの取り付けには、従来用いていた接着剤の代わりにリングを用い、また、グルーガンの代わりにニッパーを用いる。そして、エクステンションの髪の毛への取り付けは、リング、ニッパーにカギ針を備えたバーを併せて用いることにより行う。すなわち、これらの構成を用いて行うエクステンションの取り付けは、第１の工程に、カギ針を備えたバーをリングに差し込み、第２の工程に、カギ針の中に髪の毛を引っかけ、第３の工程に、差し込んだバーをリングから抜き取る。そして、第４の工程に、再度バーをリングに差し込んでカギ針の中にエクステンションを引っ掛け、第５の工程に、差し込んだバーをリングから抜き取り、最後に第６の工程にリングをニッパーで潰してエクステンションを髪の毛に固定する。
【００１１】
この取付方法により、素人が行っても安全、容易、確実かつ時間を短縮してエクステンションの取り付けができ、取り外しも容易である。
【００１２】
【発明の実施の形態】
以下、本発明のエクステンションの取付方法を図面に基いて説明する。
図１において、１０はバー、２０はリング、３０はエクステンション、４０はニッパーである。バー１０は、把持部１４と、エクステンション３０を掛けるためのカギ針１１とからなっている。そしてさらに、カギ針１１は、引っ掛け部１２及びロック部１３を有し、引っ掛け部１２には髪やエクステンション３０を引っ掛け、ロック部１３は操作者の操作により開閉自在な構造である。また、リング２０は、ニッパー４０により容易につぶれ、且つ容易に復元しない金属としてアルミニウム製を用いるのが良いが、ニッパー４０により容易につぶれ、且つ容易に復元しない金属であれば、どのようなものであっても良い。また、エクステンション３０は、人の髪の毛でできているタイプの人毛や、合成繊維で作った人工毛を用いる。ニッパー４０は従来から使用されている、把持部４１の操作で狭持部４２により挟めるものを用いる。なお、図中では、狭持部４２はリング２０を潰すためにほぼ平らに形成されているが、この箇所に左右対称の小さな溝（図示しない）を形成し、把持部４１を強く握ってもリング２０が潰れすぎない狭持部４２としてもよい。
【００１３】
以下、エクステンションの取り付け方を図２に基いて説明する。はじめに、バー１０のカギ針１１が備えられている側からリング２０へ差し込み、カギ針１１の中に髪の毛１を引っかけ（図２（ａ）、（ｂ））た後、差し込んだバー１０を抜き取る。この際、ロック部１３とリング２０の内壁とは接触するが、ロック部１３に開く力は働かないので、髪の毛１はバー１０のカギ針１１から抜け落ちることなく、リング２０からバー１０が抜き取られるのとともにカギ針１１の中に引っ掛かっている髪の毛１も一緒にリングを通って引き出され、髪の毛１がリング２０に完全に通った状態になる（図２（ｃ）、（ｄ））。そして、一旦、ロック部１３を開けてバー１０を髪の毛１から取り外す。つぎに、髪の毛１が通った状態のリング２０に上記と同じようにバー１０を差し込んでカギ針１１の中にエクステンション３０を引っ掛ける（図２（ｅ））た後、差し込んだバー１０を抜き取る（図２（ｆ））。但しこの時は、エクステンション３０がリング２０から少しだけ引き出されたときに、ロック部１３を開けてバー１をエクステンション３０から取り外す。エクステンション３０がリング２０から少しだけ引き出された状態は、図２（ｇ）に示すようにリング２０の付近でエクステンション３０のタマ３１が作られ、二又に分かれた状態となっている。そして、この状態のエクステンション３０をニッパー４０で潰すことによりエクステンション３０が髪の毛１に固定され、取り付けは終了する（図２（ｈ）、（ｉ））。
【００１４】
一方、エクステンション３０の取り外しは、エクステンション３０を固定しているリング２０を復元させるようにニッパー４０を扱うことにより、髪の毛１からエクステンション３０及びリング２０を取り外すことができる。
【００１５】
【発明の効果】
以上、本発明の実施の形態から明らかなように、本発明のエクステンションの取付方法によれば、ボンドやグルーガン、すなわち、接着剤や接着剤を溶かすための機材を用いずに、素人が行っても安全、容易、確実かつ時間を短縮してエクステンションの取り付けができ、さらに、エクステンションの取り外しも容易である。
【図面の簡単な説明】
【図１】本発明のエクステンションの取付方法に用いる夫々の全体斜視図
（ａ）はエクステンションを示す図
（ｂ）はバーを示す図
（ｃ）はリングを示す図
（ｄ）はニッパーを示す図
【図２】本発明の実施の形態のエクステンション取り付けの工程を示す図
（（ａ）乃至（ｉ））
【符号の説明】
１  髪の毛
１０  バー
１１  カギ針
２０  リング
３０  エクステンション
４０  ニッパー
【図１】
2004156157.tif 000003
【図２】
2004156157.tif 000004